(57)【要約】      （修正有）【課題】玩具部品の回動部品を、玩具部品の構成部品の位置関係を変化させるのに応じて回動させる。【解決手段】人形玩具１００の玩具部品であって、回動部品が表面に配置された胸部１１１と、該胸部１１１に対して回動可能に接続された腹部１１２とを有し、該腹部１１２は、該腹部１１２の回動に応じて該胸部１１１の表面に配置された回動部品を該胸部１１１の外側方向に回動させる構造体を含む該人形玩具１００の玩具部品とする。【選択図】図１
2022001102.tif 000002
【特許請求の範囲】
【請求項１】
人形玩具の玩具部品であって、
回動部品が表面に配置された胸部と、
前記胸部に対して回動可能に接続された腹部と、
を有し、
前記腹部は、前記腹部の回動に応じて前記回動部品を前記胸部の外側方向に回動させる構造体を含む、
ことを特徴とする玩具部品。
【請求項２】
前記構造体は、
前記腹部の回動により、前記胸部が前記腹部に対して後方に回動することになる場合に、前記回動部品のうち前記胸部の前面に配置された回動部品を前方向に回動させ、
前記腹部の回動により、前記胸部が前記腹部に対して前方に回動することになる場合に、前記回動部品のうち前記胸部の背面に配置された回動部品を後ろ方向に回動させる
ことを特徴とする請求項１に記載の玩具部品。
【請求項３】
前記回動部品は、
前記構造体による押圧を受ける第１の突起部を有する第１の部材と、
前記第１の部材が有する孔と結合する第２の突起部と、前記胸部と結合する第３の突起部とを有し、前記第１の突起部が前記押圧を受けることに応じて、前記第２の突起部を軸として前記第１の部材を回動させると共に前記第３の突起部を軸として回動する第２の部材と、
前記第１の部材が有する第４の突起部と結合し、前記第２の部材に収容された第３の部材であって、前記第１の部材の回動に応じて前記第２の部材から突出する第３の部材と
を含むように構成される請求項１または２に記載の玩具部品。
【請求項４】
前記第１の部材と前記第２の部材には、それぞれカバー部材が装着され、
前記第３の部材は、
前記第２の部材に収容された状態においては前記カバー部材の端部の内側に位置し、
前記第２の部材から突出されると、少なくとも一部が前記カバー部材の端部の外側に位置する、請求項３に記載の玩具部品。
【請求項５】
前記胸部は、前記第１の突起部の移動範囲を規制する長孔を含み、
前記第１の突起部は、前記押圧を受けて、前記長孔の一方の端部から他方の端部へ移動する、請求項３または４に記載の玩具部品。
【請求項６】
前記回動部品は、前記玩具部品の前面と背面にそれぞれ２つずつ配置される、請求項１から５のいずれか１項に記載の玩具部品。
【請求項７】
前記構造体は、前記腹部の回動に応じて、前記玩具部品の前面または背面に配置された２つの回動部品の前記第１の部材のそれぞれを同時に押圧する請求項３から５のいずれか１項に記載の玩具部品。
【請求項８】
請求項１から７のいずれか１項に記載の玩具部品を有する人形玩具。
【発明の詳細な説明】
【技術分野】
【０００１】
本発明は、玩具部品及び人形玩具に関する。
【背景技術】
【０００２】
特許文献１には、人形玩具の胴体部、腕部、脚部等の各部位に関節構造を設けることが記載されている。ユーザは、このような人形玩具を所望の姿勢にすることができる。
【先行技術文献】
【特許文献】
【０００３】
【特許文献１】実開平１−１３８４９２号公報
【発明の概要】
【発明が解決しようとする課題】
【０００４】
本発明は、玩具部品の回動部品を、玩具部品の構成部品の位置関係を変化させるのに応じて回動させることを可能とする。
【課題を解決するための手段】
【０００５】
本発明は、人形玩具の玩具部品であって、
回動部品が表面に配置された胸部と、
前記胸部に対して回動可能に接続された腹部と、
を有し、
前記腹部は、前記腹部の回動に応じて前記回動部品を前記胸部の外側方向に回動させる構造体を含む。
【発明の効果】
【０００６】
本発明によれば、玩具部品の回動部品を、玩具部品の構成部品の位置関係を変化させるのに応じて回動させることができる。
【図面の簡単な説明】
【０００７】
【図１】実施形態に対応する人形玩具の一例を示す図。
【図２】実施形態に対応する人形玩具の胸部と胴体部とを含む玩具部品の斜視図。
【図３】実施形態に対応する人形玩具の胸部と胴体部とを含む玩具部品の概略側面図。
【図４】実施形態に対応する人形玩具の胸部と胴体部とを含む玩具部品の内部構造の一例を示す図。
【図５】実施形態に対応する人形玩具の胸部と胴体部とを含む玩具部品の内部構造の変化の一例を示す図。
【図６】実施形態に対応する玩具部品の回動部品の構造の一例を示す図。
【発明を実施するための形態】
【０００８】
以下、添付図面を参照して実施形態を詳しく説明する。尚、以下の実施形態は特許請求の範囲に係る発明を限定するものではなく、また実施形態で説明されている特徴の組み合わせの全てが発明に必須のものとは限らない。実施形態で説明されている複数の特徴うち二つ以上の特徴が任意に組み合わされてもよい。また、同一若しくは同様の構成には同一の参照番号を付し、重複した説明は省略する。また、各図において、紙面に対する上下左右表裏方向を、本実施形態における部品（またはパーツ）の上下左右表裏方向として、本文中の説明の際に用いることとする。
【０００９】
まず、本実施形態に対応する人形玩具の外観の一例を図１に示す。図１は、実施形態に係る人形玩具１００を示す模式図である。人形玩具１００は、頭部１１０、胸部１１１、腹部１１２、腰部１１３および腕部１１４を備える。個々の部位１１０〜１１４は、隣接する部位に対して回動（或いは揺動）可能に支持される。例えば、頭部１１０は胸部１１１に対して回動可能に支持され、腹部１１２は胸部１１１に対して回動可能に支持され、腹部１１２は腰部１１３に対して回動可能に支持され、また、腕部１１４は胸部１１１に対して回動可能に支持される。また、詳細については後述とするが、腹部１１２の胸部１１１に対する回動に応じて胸部の表面に配置された回動部品が回動可能に構成される。
【００１０】
このようにして人形玩具１００の各部位には関節構造が設けられており、ユーザ（例えば、人形玩具１００の所有者）は、このような人形玩具１００を、例えば左右に屈曲した姿勢等、所望の姿勢（ポーズ）にすることができる。
【００１１】
尚、本明細書においては、各部位の位置関係を説明するのに際して、前（前方）、後（後方）、左（左側方）、右（右側方）、上（上方）、下（下方）等と記載する場合があるが、これらの表現は人形玩具１を基準とした相対的なものである。例えば、前は人形玩具１００正面側に対応し、後は人形玩具１００背面側に対応する。
【００１２】
次に図２を参照して、胸部１１１及び腹部１１２の外観構造の一例を示す。本実施形態において、胸部１１１には回動部品であるバーニアユニット２０１が前方左右に２か所、後方左右に２か所配置されている。バーニアとは、噴射装置全般の通称として用いられ、特には宇宙飛行体の姿勢制御用補助装置のことをいう。バーニアユニット２０１は回動部品であるので、腹部１１２を人形玩具１００の前後に回動させる（胸部１１１を腹部１１２に対して後方または前方に回動させる）ことで、前面のバーニアユニット２０１は前方向に、背面のバーニアユニット２０１は後ろ方向にそれぞれ回動することができる。このようにして、手動で回動させなくても、腹部１１２を回動させることでバーニアユニット２０１を回動させることが可能となる。
【００１３】
なお、本実施形態においては、バーニアユニット２０１は胸部１１１の前面と背面に２つずつ配置する場合を説明するが、配置されるバーニアユニット２０１の数はこれに限定されるものではなく、１つしか配置されない場合、或いは、５つ以上配置される場合も含みうる。また、配置位置は、胸部の前面や背面でなくてもよく、側面であってもよい。更には、胸部に対して腹部を回動させる方向も限定されるものではない。いずれの場合であっても、以下に説明する構造を用いて、胸部に対して腹部を回動させることによりバーニアユニット２０１が回動するように構成される。
【００１４】
次に図３を参照して、腹部１１２を胸部１１１に対して回動させた場合の動作の一例を説明する。図３は、図２に示した胸部１１１及び腹部１１２の外観構造を簡略化して示した左側面図であり、図３（Ａ）は腹部１１２を回動させる前の状態を示す。図３（Ａ）に示すように、各バーニアユニット２０１は、外側カバー３０１、内側外カバー３０２、内側内カバー３０３、バーニア３０４を有するように構成されている。
【００１５】
図３（Ｂ）は、腹部１１２を矢印３１１の方向（人形玩具１００の前方向）に回動させた場合の状態を示す。腹部１１２が矢印３１１の方向に回動すると、胸部１１１は、腹部１１２に対して相対的に後方に回動することとなる。このとき、バーニアユニット２０１が矢印３１２の方向に回動し前方に（すなわち、胸部１１１の外側方向に）つき出ると共に、バーニアユニット２０１の構成部品である内側内カバー３０３が後方に開き、バーニア３０４が矢印３１３の方向に突き出す。これにより、内側外カバー３０２と内側内カバー３０３とで隠されていたバーニア３０４の少なくとも一部分（先端部分）が、当該カバーの外側に露出する。
【００１６】
図３（Ｃ）は、図３（Ｂ）の状態で腹部１１２を矢印３２１の方向（人形玩具１００の後ろ方向）に更に回動させた場合の状態を示す。腹部１１２を矢印３２１の方向に更に回動させると、胸部１１１は、腹部１１２に対して相対的に前方に回動することとなる。このとき、バーニアユニット２０１が矢印３２２の方向に回動し後方に（すなわち、胸部１１１の外側方向に）つき出ると共に、バーニアユニット２０１の構成部品である内側内カバー３０３が開き、バーニア３０４が矢印３２３の方向に突き出す。これにより、内側外カバー３０２と内側内カバー３０３とで隠されていたバーニア３０４の少なくとも一部分（先端部分）が、当該カバーの端部よりも外側に露出する。
【００１７】
このように、腹部１１２を胸部１１１に対して前後に回動させることにより（別言すれば、胸部１１１を腹部１１２に対して後方または前方に回動させることにより）、人形玩具１００の前面と背面に配置された４つのバーニアユニット２０１を上方に回動させ、内側内カバー３０３が開くように回動させ、かつ、バーニア３０４の先端がカバー３０３、３０４から露出するように突出させる、という３つの動作がほぼ同時に行われることになる。これにより、個々のバーニアユニットを手動で回動させる必要がなくなる。
【００１８】
次に、図４を参照して、胸部１１１及び腹部１１２の内部構造について説明する。図４（Ａ）は、胸部１１１及び腹部１１２の分解左側面図である。図４（Ａ）では、人形玩具１００の右半身の胸部１１１、腹部１１２の内部構造を示している。当該内部構造は、主に部材４０１から４０４と、バーニアユニット２０１から構成される。図４（Ｂ）は部材４０１を示し、図４（Ｃ）は部材４０２を示し、図４（Ｄ）は部材４０３を示し、図４（Ｅ）は部材４０４を示し、図４（Ｆ）はバーニアユニット２０１を示す。
【００１９】
部材４０１は、突起４１１、突起４１２、及び、突起４１３を有し、図４（Ｂ）の表裏で対照構造となっている。即ち、部材４０１は表側、裏側のそれぞれに突起４１１、突起４１２、及び、突起４１３を有するように構成されている。突起４１１は、部材４０１が突起４１２を軸として回動した場合に、バーニアユニット２０１の部材４５１を押圧して、バーニアユニット２０１を上方に回動させるように動作する。突起４１２は、部材４０２の孔４２１を介して部材４０３の孔４３１と結合し、これにより、部材４０１は突起４１２を軸として、人形玩具１００の前後方向に回動することができる。その際、部材４０１の突起４１３と部材４０３の孔４３２とが結合することで、部材４０１と部材４０３とが一体で回動することができる。これにより、胸部１１１に対して腹部１１２を回動させる（逆に言えば、腹部１１２に対して胸部１１１を回動させる）ことができる。
【００２０】
部材４０２は、突起４１２が貫通する孔４２１を有し、また、バーニアユニット２０１の突起４５１が貫通する長孔４２２を有する。長孔４２２は、突起４５１の移動の方向及び範囲を規制する。部材４０２は、人形玩具１００の左半身と右半身とにそれぞれ１つずつ、部材４０１を左右から挟み込むように配置される。また、図４（Ｃ）の部材４０２の裏面には、バーニアユニット２０１の突起４５２と結合する孔を有する。
【００２１】
部材４０３は、突起４１２と結合する孔４３１、突起４１３と結合する孔４３２を有し、部材４０１と共に、胸部１１１に対して人形玩具１００の前後方向に回動する。逆に言えば、胸部１１１は部材４０１、部材４０３に対し前方または後方に回動する。
【００２２】
部材４０４は、図４（Ａ）には直接に示されていないが、図４（Ｃ）の部材４０２の裏側に位置し、バーニアユニット２０１の突起４５２と結合する孔４４１を有する。バーニアユニット２０１は図４（Ｆ）で示す構成の表裏に突起４５２をそれぞれ有しており、部材４０２の裏側の孔と、部材４０４の孔４４１とにより挟み込まれ、回動可能に支持される。
【００２３】
図４（Ｆ）に示す個々のバーニアユニット２０１は、突起４５１と突起４５２を有する。突起４５１は、部材４０１の突起４１１により押圧されると、突起４５２を軸として回動し、人形玩具１００の斜め上方にバーニアユニット２０１が突き出す。なお、バーニアユニット２０１の個数を増やす場合には、部材４０１、４０２及び４０３を更に追加することができる。
【００２４】
次に、図５を参照して、部材４０１の回動動作を説明する。図５（Ａ）から（Ｃ）は、図４に示した部材４０１とバーニアユニット２０１との関係を示すための概略図である。図５（Ａ）は、部材４０１が人形玩具１００の前後方向に回動する前の状態を示す。このときバーニアユニット２０１は本体下向きに閉じた状態にある。図５（Ｂ）は、部材４０１が人形玩具１００の前方向に回動したとき（すなわち、胸部１１１が部材４０１に対して後方に回動したとき）の状態を示す。部材４０１は突起４１２を軸として前方に回動し、突起４１１がバーニアユニット２０１の突起４５１と係合して、突起４５１を人形玩具１００の前方に押し出す。このとき、突起４５１の移動は長孔４２２により規制され、突起４５１は長孔４２２の一方の端部から他方の端部へ移動する。
【００２５】
次に図５（Ｃ）は、部材４０１が人形玩具１００の後ろ方向に回動したとき（すなわち、胸部１１１が部材４０１に対して前方に回動したとき）の状態を示す。部材４０１は突起４１２を軸として後方に回動し、突起４１１がバーニアユニット２０１の突起４５１と係合して、突起４５１を人形玩具１００の後方に押し出す。このときも突起４５１の移動は長孔４２２により規制され、突起４５１は長孔４２２の一方の端部から他方の端部へ移動する。
【００２６】
次に、図６を参照して、バーニアユニット２０１自体の動作を説明する。図６（Ａ）はバーニアユニットの内部構造の一例を示す図であり、図４（Ａ）の右側（人形玩具１００の後部右側）に位置するバーニアユニット２０１を、図４（Ａ）と同じ方向から見た図である。バーニアユニット２０１は、部材６０１から６０３が結合して構成される。図６（Ｂ）は、図６（Ａ）の断面図であり、部材６０１と部材６０２との結合状態、及び、部材６０１と部材６０３との結合状態を示す。図６（Ｃ）は、部材６０１を図６（Ａ）を正面として斜め後方から示した図であり、図６（Ｄ）は、部材６０２を図６（Ａ）を正面として斜め前方から示した図であり、図６（Ｅ）は、部材６０３を図６（Ａ）を正面として斜め前方から示した図である。以下、これらの図を参照して説明する。
【００２７】
部材６０１は、突起４５１を有しており、部材４０１からの押圧に応じて突起６１１の軸回りに回動する。突起６１１は部材６０２を構成し、突起６１１は部材６０１の孔６１２を貫通するように結合される。部材６０１が回動すると、突起４５１が矢印Ａの方向に移動する。このとき、突起４５１の移動と共に、部材６０２が突起４５２を軸として矢印Ｂの方向に回動することにより、バーニアユニット２０１が斜め上方に回動する。
【００２８】
また、部材６０１の裏面に配置された突起部６１３と部材６０３の孔６１６とが結合しており、突起４５１が矢印Ａの方向に移動するのに応じて部材６０１が矢印Ｃの方向に突起６１１周りに回動することにより、部材６０３は矢印Ｄに示す下方向に移動する。これにより、バーニア３０４が下側に突出する。部材６０２には、収容孔６１４が設けられており、部材６０３の上側の突起部６１５が収容孔６１４に収容されている。ここで、上記のように部材６０３が矢印Ｄに示す下方向に移動すると、部材６０３も収容孔６１４に収容された状態から、収容孔６１４から突出した状態に変化する。
【００２９】
部材６０１には、係合部６２１が設けられ、部材６０２には係合部６２２と６２３が設けられている。これらは図３で示した内側内カバー３０３と内側外カバー３０２とが係合するための突起である。これにより、内側内カバー３０３は、部材６０１の矢印Ｃの方向への回動により、人形玩具１００の本体内側に開かれ、内側外カバー３０２は部材６０２と共に本体外側に回動する。
【００３０】
このように、本実施形態によれば、人形模型の胸部と腹部との構造体により、腹部を前後に回動させることにより（別言すれば、胸部を腹部に対して前方または後方に回動させることにより）胸部に設けられた複数の回動機構を同時に回動させることができるので、回動機構を手動で回動させることなく、容易に人形模型を変形することができる。
【００３１】
発明は上記の実施形態に制限されるものではなく、発明の要旨の範囲内で、種々の変形・変更が可能である。
【図１】
2022001102.tif 000003
【図２】
2022001102.tif 000004
【図３】
2022001102.tif 000005
【図４】
2022001102.tif 000006
【図５】
2022001102.tif 000007
【図６】
2022001102.tif 000008
【手続補正書】
【提出日】令和3年11月9日(2021.11.9)
【手続補正１】
【補正対象書類名】特許請求の範囲
【補正対象項目名】全文
【補正方法】変更
【補正の内容】
【特許請求の範囲】
【請求項１】
人形玩具の玩具部品であって、
回動部品が表面に配置された胸部と、
前記胸部に対して、前記人形玩具の前後方向に回動可能に接続された腹部と、
を有し、
前記回動部品は、第１の突起部と、第２の突起部とを有し、
前記腹部は、前記腹部の前記回動に応じて、前記第１の突起部を押圧して前記第２の突起部を回動軸として前記回動部品を回動させることにより、前記回動部品の下側を前記胸部の外側に突出させる構造体を含む、
ことを特徴とする玩具部品。
【請求項２】
前記構造体は、
前記腹部の前記回動により、前記腹部が前記人形玩具の前方に回動することにより、前記腹部の上側が前記腹部の下側よりも前記人形玩具の前方に位置することになる場合に、前記回動部品のうち前記胸部の前面に配置された回動部品の前記第１の突起部を前記構造体が押圧することにより、前記回動部品を前記第２の突起部を回動軸として回動させて前記前面に配置された回動部品の下側を前記胸部の前方向に突出させ、
前記腹部の回動により、前記腹部が前記人形玩具の後方に回動することにより、前記腹部の上側が前記腹部の下側よりも前記人形玩具の後方に位置することになる場合に、前記回動部品のうち前記胸部の背面に配置された回動部品の前記第１の突起部を前記構造体が押圧することにより、前記第２の突起部を回動軸として回動させて前記背面に配置された回動部品の下側を前記胸部の後ろ方向に突出させる
ことを特徴とする請求項１に記載の玩具部品。
【請求項３】
前記回動部品は、
前記構造体による押圧を受ける前記第１の突起部を有する第１の部材と、
前記第１の部材が有する孔と結合する第３の突起部と、前記胸部と結合する前記第２の突起部とを有し、前記第１の突起部が前記押圧を受けることに応じて、前記第３の突起部を軸として前記第１の部材を回動させると共に前記第２の突起部を軸として回動する第２の部材と、
前記第１の部材が有する第４の突起部と結合し、前記第２の部材に収容された第３の部材であって、前記第１の部材の回動に応じて前記第２の部材から突出する第３の部材と
を含むように構成される請求項１または２に記載の玩具部品。
【請求項４】
前記第１の部材と前記第２の部材には、それぞれカバー部材が装着され、
前記第３の部材は、
前記第２の部材に収容された状態においては前記カバー部材の端部の内側に位置し、
前記第２の部材から突出されると、少なくとも一部が前記カバー部材の端部の外側に位置する、請求項３に記載の玩具部品。
【請求項５】
前記胸部は、前記第１の突起部の移動範囲を規制する長孔を含み、
前記第１の突起部は、前記押圧を受けて、前記長孔の一方の端部から他方の端部へ移動する、請求項３または４に記載の玩具部品。
【請求項６】
前記回動部品は、前記玩具部品の前面と背面にそれぞれ２つずつ配置される、請求項１から５のいずれか１項に記載の玩具部品。
【請求項７】
前記構造体は、前記腹部の回動に応じて、前記玩具部品の前面または背面に配置された２つの回動部品の前記第１の部材のそれぞれを同時に押圧する請求項３から５のいずれか１項に記載の玩具部品。
【請求項８】
請求項１から７のいずれか１項に記載の玩具部品を有する人形玩具。
【手続補正２】
【補正対象書類名】明細書
【補正対象項目名】０００５
【補正方法】変更
【補正の内容】
【０００５】
本発明は、人形玩具の玩具部品であって、
回動部品が表面に配置された胸部と、
前記胸部に対して回動可能に接続された腹部と、
を有し、
前記腹部は、前記腹部の回動に応じて前記回動部品を前記胸部の外側方向に回動させる構造体を含む。
また、本発明は、人形玩具の玩具部品であって、
回動部品が表面に配置された胸部と、
前記胸部に対して、前記人形玩具の前後方向に回動可能に接続された腹部と、
を有し、
前記回動部品は、第１の突起部と、第２の突起部とを有し、
前記腹部は、前記腹部の前記回動に応じて、前記第１の突起部を押圧して前記第２の突起部を回動軸として前記回動部品を回動させることにより、前記回動部品の下側を前記胸部の外側に突出させる構造体を含む。